(57)【要約】【課題】  インターネット上で閲覧できる画像を簡易に携帯端末装置上で最適なサイズで表示できるようにする。【解決手段】  インターネットブラウザ上で取得したい任意の画像の選択を受け付け、送信フォームを表示し、サイズ一覧表示プログラムページのアドレスを携帯端末装置に送信し、携帯端末装置の機種を自動で判別し、携帯端末装置での使用用途に合わせた画像変換形式及び表示サイズの一覧を表示し、前記一覧から取得したい画像変換形式及び表示サイズを選択し、解像度変更プログラムにより画像を選択された画像変換形式及び表示サイズに変更し表示する。【選択図】図１３
2006040198.tif 000002
【特許請求の範囲】
【請求項１】
インターネットブラウザ上で取得したい任意の画像の選択を受け付け、送信フォームを表示し、サイズ一覧表示プログラムのアドレスを携帯端末装置に送信し、サイズ一覧表示プログラムにより携帯端末装置の機種を自動で判別し、携帯端末装置での使用用途に合わせた画像サイズと画像変換形式を選択項目とするサイズ一覧ページを表示し、解像度変更プログラムにより画像を前記一覧から選択された画像サイズと画像変換形式に変更し表示することを特徴とする画像取得システム。
【請求項２】
送信フォームの表示を、画像上で右クリックすることで表示されるメニュー内の項目を選択し可能にし、送信フォームの表示の際に画像のアドレス情報を送信フォームに引き継ぐことを特徴とする請求項１記載の画像取得システム。
【請求項３】
送信フォームの表示を、ホームページ上で動作する送信フォーム表示プログラムを配布しホームページへ付加することによって可能にし、送信フォームの表示の際に画像のアドレス情報を送信フォームに引き継ぐことを特徴とする請求項１記載の画像取得システム。
【請求項４】
サイズ一覧表示プログラムページのアドレスの携帯端末装置への送信を、送信フォーム上のメールアドレス入力欄に入力されたメールアドレスに、サイズ一覧表示プログラムページのアドレスを本文に含むメールの送信で行うことを特徴とする請求項１記載の画像取得システム。
【請求項５】
サイズ一覧表示プログラムページのアドレスの携帯端末装置への送信を、サイズ一覧表示プログラムページのアドレスを元に作成された二次元コードを送信フォーム上に表示し、携帯端末装置で認識し行うことを特徴とする請求項１記載の画像取得システム。
【請求項６】
サイズ一覧ページは、サイズ一覧表示プログラムにより携帯端末装置からサーバに送信される機種情報と携帯端末装置の画像サイズを持った携帯端末装置画面サイズデータベースを元に作成されることを特徴とする画像取得システム。
【請求項７】
画像変換形式は、引き伸ばし形式・拡大形式・埋め込み形式を用意し、選択可能とすることを特徴とする画像取得システム。
【請求項８】
携帯端末装置に表示される画像は、画像サイズと画像変換形式の選択時に、取得元の画像データを解像度変更プログラムで読み込み加工し、サーバに蓄積することなく携帯端末装置に表示することを特徴とする画像取得システム。
【発明の詳細な説明】
【技術分野】
【０００１】
本発明は、携帯端末装置の表示画面に表示する画像をパソコン端末を使用しインターネットから取得し、携帯端末装置にて最適な解像度で画像を表示させるシステムに関する。
【背景技術】
【０００２】
携帯端末装置の待ち受け画面などでインターネット上の画像を使用する時、携帯端末別に解像度が最適化されたインターネット上の画像を取得する方法と、インターネット画像を一旦自身のパソコンに取得した後に、画像加工用のソフトウェアを使用し携帯端末装置の解像度にあわせて加工し、加工後の画像を一旦サーバ上に蓄積し、その画像アドレスを携帯端末装置に送信する方法がある。
【０００３】
ホームページ製作者が携帯端末装置向けの待ち受け画像サイトを構築する際には、携帯端末装置別に加工された画像を用意する方法、または画像を携帯端末装置に合わせて自動で加工するプログラムをサーバに設置する方法がある。
【発明の開示】
【発明が解決しようとする課題】
【０００４】
以上に述べた従来の画像取得方法では、携帯端末装置向けに解像度が最適化された画像から画像を選択する方法では画像の種類が十分に豊富とは言えず、携帯端末装置のインターネット機能は、通信速度や表示画面が小さいこともあり、画像の検索に最適な環境ではない。また、その際パケット料金が発生する為、気軽な利用とはなりえていない。
【０００５】
パソコン端末から種類豊富なインターネット画像を取得する方法では、携帯端末装置用に解像度が最適化された画像が用意されていることが少なく、その画像の取得の際には、一度自身のパソコンへと保存を行い、携帯端末装置用に解像度の変更を行う必要があるため、画像加工のための知識が必要であり、手間もかかる。
【０００６】
また、パソコン端末上の画像を携帯端末装置で取得する際には、加工後の画像を一旦サーバ上に蓄積し、その画像アドレスを携帯端末装置に送信する必要があるため、画像蓄積用にサーバの保存領域を確保する必要があった。
【０００７】
また、ホームページ製作者が待ち受け画像サイトを構築する際、携帯端末装置別に加工された画像を用意する場合には画像加工の知識や携帯端末装置のサイズ情報が必要であり、または画像を携帯端末装置に合わせて自動で加工するプログラムをサーバに設置する場合、加工プログラム作成や設置の高度な知識が必要であった。
【０００８】
本発明は、このような従来の画像取得方法が有していた問題を解決しようとするものであり、インターネット上から携帯端末装置で利用する画像を簡易操作で取得することを実現し、携帯端末装置待ち受け画像サイトを簡易に構築すること可能とすることを目的とするものである。また、画像の検索にはパソコン端末を利用するため、携帯端末装置で画像を検索する際に発生するパケット代の節約にも貢献する。
【課題を解決するための手段】
【０００９】
本発明は請求項１に記載のように、インターネットブラウザ上で取得したい任意の画像の選択を受け付け、送信フォームを表示し、サイズ一覧表示プログラムのアドレスを携帯端末装置に送信し、サイズ一覧表示プログラムにより携帯端末装置の機種を自動で判別し、携帯端末装置での使用用途に合わせた画像サイズと画像変換形式を選択項目とするサイズ一覧ページを表示し、解像度変更プログラムにより画像を前記一覧から選択された画像サイズと画像変換形式に変更し表示することを特徴とする画像取得システムを提供する。
【００１０】
送信フォームの表示は、画像上で右クリックすることで表示されるメニュー内の項目を選択し可能にし、送信フォームの表示の際に画像のアドレス情報を送信フォームに引き継ぐ。
【００１１】
また、送信フォームの表示を、ホームページ上で動作する送信フォーム表示プログラムを配布しホームページへ付加することによって可能にし、送信フォームの表示の際に画像のアドレス情報を送信フォームに引き継ぐ。
【００１２】
サイズ一覧表示プログラムページのアドレスの携帯端末装置への送信を、送信フォーム上のメールアドレス入力欄に入力されたメールアドレスに、サイズ一覧表示プログラムページのアドレスを本文に含むメールの送信で行うことで可能にする。
【００１３】
サイズ一覧表示プログラムページのアドレスの携帯端末装置への送信を、サイズ一覧表示プログラムページのアドレスを元に作成された二次元コードを送信フォーム上に表示し、携帯端末装置で認識し行うことによって可能にしても良い。
【００１４】
サイズ一覧ページは、サイズ一覧表示プログラムにより携帯端末装置からサーバに送信される機種情報と携帯端末装置の画像サイズを持った携帯端末装置画面サイズデータベースを元に作成されることを特徴とする。
【００１５】
画像変換形式は、引き伸ばし形式・拡大形式・埋め込み形式を用意し、選択可能とすることを特徴とする。
【００１６】
携帯端末装置に表示される画像は、画像変換形式及び表示サイズの選択時に、取得元の画像データを解像度変更プログラムで読み込み加工し、サーバに蓄積することなく携帯端末装置に表示することを特徴とする。
【発明の効果】
【００１７】
以上の様に本発明によれば、インターネット上の画像を携帯端末装置に表示させる際に、携帯端末装置にあわせた画像加工の手間を省くことができる。
【００１８】
ホームページ制作者にとっては、送信フォーム表示プログラムをホームページに付加することで、携帯端末装置向けの加工された画像を用意することなく、また、難解なプログラム及びサーバの知識を必要とする自動画像加工プログラム等の設置をすることなく、簡単に待ち受け画像サイトの構築が可能になる。
【００１９】
サーバに蓄積することなく携帯端末装置に画像を表示するため、本発明が稼動するサーバ内に画像を保存するための領域を確保する必要が無く、ハードディスク容量の少ないサーバで運営可能でありコスト削減につながる。
【発明を実施するための最良の形態】
【００２０】
図１にはパソコン端末のインターネットブラウザ上で表示されている画像の選択手段を表している。携帯端末装置で表示したい画像をブラウザ上で表示させ、画像上で右クリックすると表示されるメニューに、送信情報入力フォーム表示プログラムを実行する項目が表示される。
【００２１】
図２には送信情報入力フォーム表示プログラムを実行する手段を表している。送信情報入力フォーム表示プログラムを実行する項目をクリックすると送信情報入力フォーム表示プログラムを実行する。送信情報入力フォーム表示プログラムは、送信情報入力フォームの表示を行う。この際に右クリックされた画像の画像アドレス情報を送信情報入力フォームに引き継ぎ表示する。
【００２２】
送信情報入力フォーム表示プログラムを実行する手段は、送信情報入力フォームを右クリックのメニュー内の項目選択にて実行する方法の他、図３の様にコンテンツに画像を含むホームページの製作者向けに、同機能をホームページ上のボタンのクリックにて実現するホームページ用送信情報入力フォーム表示プログラムを配布し、ホームページの製作者によって前記ホームページへ付加され可能にする方法も取れる。
【００２３】
図４は送信情報入力フォームの形態を表している。送信情報入力フォームは携帯端末装置のメールアドレスの入力欄や送信するメールのタイトルに付加する文字情報の入力欄などが配置されたものとする。また、メール送信プログラムや二次元コード表示プログラムを実行するボタンが配置されたものとする。
【００２４】
送信情報入力フォームの入力欄は携帯端末装置のメールアドレスや、送信するメールのタイトルに付加する文字情報の入力を受け付ける。また、送信情報入力フォームのボタンにてメール送信プログラムや二次元コード表示プログラムの実行を受け付ける。
【００２５】
メール送信プログラムは、サイズ一覧表示プログラムのアドレスを記載したメール本文を作成し、入力された送信先メールアドレス情報をもとにメールを送信する。携帯端末装置でメールを受信すると、サイズ一覧表示プログラムのアドレスが本文に表示される。
【００２６】
二次元コード表示プログラムは、図５の様にサイズ一覧表示プログラムのアドレスをもとに携帯端末装置で読み取り可能な二次元コードを作成し画面に表示する。
【００２７】
図６の様に携帯端末装置のカメラ機能で二次元コードを認識し取得すると、サイズ一覧表示プログラムのアドレスが画面に表示される。
【００２８】
サイズ一覧表示プログラムのアドレスは、画像アドレス情報を含む。一例を図７に示す。
【００２９】
携帯端末装置側で、サイズ一覧表示プログラムのアドレスをクリックすると、サイズ一覧表示プログラムは携帯端末装置の機種を携帯端末装置から送信される環境変数から判別し取得する。
【００３０】
サイズ一覧表示プログラムは、取得した携帯端末装置の機種を元に携帯端末装置画面サイズデータベースを読み込み、サイズ一覧ページを生成し携帯端末装置の画面に表示する。サイズ一覧ページの一例を図８に示す。
【００３１】
図９に示す携帯端末装置画面サイズデータベースは、メイン画面用待ち受け画像サイズ・サブ画面用待ち受け画像サイズ・発着信用画像サイズなどの携帯端末で使用が考えられる用途に合わせた画像サイズ情報と携帯端末装置の機種情報を持つ。
【００３２】
サイズ一覧ページは、画像サイズ情報と画像変換形式を選択項目として表示し、選択項目は解像度変更プログラムのアドレスをジャンプ先とするリンク形式とする。
【００３３】
解像度変更プログラムのアドレスは、画像アドレス情報と画像サイズ情報と画像変換形式を含む。一例を図１０に示す。
【００３４】
画像変換形式は、図１１のように引き伸ばし形式・拡大形式・埋め込み形式などを選択可能とする。
【００３５】
サイズ一覧ページから表示された選択項目を選択すると、解像度変更プログラムを実行する。
【００３６】
解像度変更プログラムは、解像度変更プログラムのアドレスに含まれた画像アドレス情報と画像サイズ情報と画像変換形式を元に画像のサイズを変更し、図１２に示す様に携帯端末装置の画面に表示させる。
【００３７】
表示された画像は、携帯端末装置への保存や待ち受け画面への設定が可能になる。
【００３８】
端末装置・携帯端末装置・サーバの関連を示したフローチャート図を図１４に示す。
【００３９】
以上インターネット上の画像についての本発明の実施例を示したが、パソコン端末に保存されたインターネット上にない画像についても本発明を利用し、携帯端末装置上に表示することは可能である。以下にその一例を示す。
【００４０】
パソコンで製作された画像やデジタルカメラ等で撮影しパソコン内に保存された画像を、インターネット上に保存スペースを提供するサービスを利用し、インターネット上に保存を行うことで、本発明を利用し携帯端末装置上で画像を表示することが可能になる。
【図面の簡単な説明】
【００４１】
【図１】インターネットブラウザ上で画像を選択する手段を示した図。
【図２】送信情報入力フォーム表示プログラムを実行する手段を示した図。
【図３】送信情報入力フォーム表示プログラムの実行をボタンのクリックにて実現する手段を示した図。
【図４】送信情報入力フォームの形態を示した図。
【図５】送信情報入力フォーム上での二次元コードの表示を示した図。
【図６】二次元コードを携帯端末装置で読み取る手段を示した図。
【図７】サイズ一覧表示プログラムのアドレスの一例を示した図。
【図８】サイズ一覧表示ページの一例を示した図。
【図９】携帯端末装置画面サイズデータベースの一例を示した図。
【図１０】解像度変更プログラムのアドレスの一例を示した図。
【図１１】画像のサイズ変更時の変換形式の一例を示した図。
【図１２】携帯端末装置上に画像が表示されている一例を示した図。
【図１３】端末装置・携帯端末装置・サーバの関連を示した図。
【図１４】端末装置・携帯端末装置・サーバの関連を示したフローチャート図。
【符号の説明】
【００４２】
２００  端末装置
２１０  携帯端末装置
２２０  インターネット画像
２３０  プログラムサーバ
２４０  インターネット
【図１】
2006040198.tif 000003
【図２】
2006040198.tif 000004
【図３】
2006040198.tif 000005
【図４】
2006040198.tif 000006
【図５】
2006040198.tif 000007
【図６】
2006040198.tif 000008
【図７】
2006040198.tif 000009
【図８】
2006040198.tif 000010
【図９】
2006040198.tif 000011
【図１０】
2006040198.tif 000012
【図１１】
2006040198.tif 000013
【図１２】
2006040198.tif 000014
【図１３】
2006040198.tif 000015
【図１４】
2006040198.tif 000016